【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）内でのワイヤレス通信の方法であって、
第２の無線アクセス技術（ＲＡＴ）離調についての受信された第１のＲＡＴ中断要求に応答して第１のＲＡＴのアクティビティを検出することと、
前記検出された前記第１のＲＡＴのアクティビティと第２のＲＡＴ離調アクティビティとの所定の優先度に従って前記第１のＲＡＴ中断要求を適応的に実行することであって、受信チェーンが前記ＵＥの第１のＲＡＴモデムと第２のＲＡＴモデムとの間で共有され、前記第１のＲＡＴ中断要求を適応的に実行することは、
前記第１のＲＡＴ中断要求が前記第２のＲＡＴ離調アクティビティとしてＵＥ発信アクティビティを示すとき、前記第２のＲＡＴ離調を遅延させること、または
前記第１のＲＡＴ中断要求を実行することより前に、ページングサイクル持続時間の増加を要求すること、
のうちの１つを備える、
適応的に実行することと、
を備える、方法。
【請求項２】
前記第１のＲＡＴ中断要求が前記第２のＲＡＴ離調アクティビティとしてＵＥ着信アクティビティを示すとき、前記第２のＲＡＴ離調を実行することをさらに備える、請求項１に記載の方法。
【請求項３】
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることとをさらに備える、請求項２に記載の方法。
【請求項４】
前記第２のＲＡＴ離調を実行するとき、周期的測定を停止させることをさらに備える、請求項２に記載の方法。
【請求項５】
少なくとも１つの第１のＲＡＴアプリケーションから受信された前記第２のＲＡＴ離調の通知を阻止することをさらに備える、請求項２に記載の方法。
【請求項６】
前記検出された前記第１のＲＡＴのアクティビティとの重複を低減するために前記受信された第１のＲＡＴ中断要求に応答して前記第２のＲＡＴ離調をスケジュールすることをさらに備える、請求項１に記載の方法。
【請求項７】
最大無線リンクコントローラリセット量を検出することと、
前記最大無線リンクコントローラリセット量に達するより前の前記受信された第１のＲＡＴ中断要求を無視することとをさらに備える、請求項１に記載の方法。
【請求項８】
前記第１のＲＡＴがロングタームエボリューション（ＬＴＥ）を備え、第２のＲＡＴがＣＤＭＡ２０００を備える、請求項１に記載の方法。
【請求項９】
ユーザ機器（ＵＥ）内でのワイヤレス通信のための装置であって、
第２の無線アクセス技術（ＲＡＴ）離調についての受信された第１のＲＡＴ中断要求に応答して第１のＲＡＴのアクティビティを検出するための手段と、
前記検出された前記第１のＲＡＴのアクティビティと第２のＲＡＴ離調アクティビティとの所定の優先度に従って前記第１のＲＡＴ中断要求を適応的に実行するための手段であって、受信チェーンが前記ＵＥの第１のＲＡＴモデムと第２のＲＡＴモデムとの間で共有され、前記第１のＲＡＴ中断要求を適応的に実行するための前記手段は、
前記第１のＲＡＴ中断要求が前記第２のＲＡＴ離調アクティビティとしてＵＥ発信アクティビティを示すとき、前記第２のＲＡＴ離調を遅延させるための手段、または
前記第１のＲＡＴ中断要求を実行することより前に、ページングサイクル持続時間の増加を要求するための手段、
のうちの１つを備える、
適応的に実行するための手段と、
を備える、装置。
【請求項１０】
前記第１のＲＡＴ中断要求を適応的に実行するための前記手段は
前記第１のＲＡＴ中断要求が前記第２のＲＡＴ離調アクティビティとしてＵＥ着信アクティビティを示すとき、前記第２のＲＡＴ離調を実行するようにさらに構成された、請求項９に記載の装置。
【請求項１１】
前記第１のＲＡＴ中断要求を適応的に実行するための前記手段は、
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることと、
を行わせるようにさらに構成された、請求項１０に記載の装置。
【請求項１２】
前記第１のＲＡＴ中断要求を適応的に実行するための前記手段は、前記第２のＲＡＴ離調を実行するとき、周期的測定を停止させるようにさらに構成された、請求項１０に記載の装置。
【請求項１３】
前記第１のＲＡＴ中断要求を適応的に実行するための前記手段は、少なくとも１つの第１のＲＡＴアプリケーションから受信された前記第２のＲＡＴ離調の通知を阻止するようにさらに構成された、請求項１０に記載の装置。
【請求項１４】
前記第１のＲＡＴ中断要求を適応的に実行するための前記手段は、前記検出された前記第１のＲＡＴのアクティビティとの重複を低減するために前記受信された第１のＲＡＴ中断要求に応答して前記第２のＲＡＴ離調をスケジュールするようにさらに構成された、請求項９に記載の装置。
【請求項１５】
コンピュータに請求項１から８のいずれかにしたがった方法を実行させるための命令を記憶したコンピュータ可読媒体を備える、コンピュータプログラムプロダクト。
【手続補正２】
【補正対象書類名】明細書
【補正対象項目名】００８６
【補正方法】変更
【補正の内容】
【００８６】
[0084]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の請求項に記載された発明を付記する。
[Ｃ１]
ユーザ機器（ＵＥ）内でのワイヤレス通信の方法であって、
第２の無線アクセス技術（ＲＡＴ）離調についての受信された第１のＲＡＴ中断要求に応答して第１のＲＡＴアクティビティを検出することと、
前記検出された第１のＲＡＴアクティビティと第２のＲＡＴ離調アクティビティとの所定の優先度に従って前記第１のＲＡＴ中断要求を適応的に実行することであって、受信チェーンが前記ＵＥの第１のＲＡＴモデムと第２のＲＡＴモデムとの間で共有される、適応的に実行することとを備える、方法。
[Ｃ２]
前記第１のＲＡＴ中断要求が前記第２のＲＡＴ離調アクティビティとしてＵＥ発信アクティビティを示すとき、前記第２のＲＡＴ離調を遅延させることをさらに備える、Ｃ１に記載の方法。
[Ｃ３]
前記第１のＲＡＴ中断要求を実行することより前に、ページングサイクル持続時間の増加を要求することさらに備える、Ｃ１に記載の方法。
[Ｃ４]
前記第１のＲＡＴ中断要求が前記第２のＲＡＴ離調アクティビティとしてＵＥ着信アクティビティを示すとき、前記第２のＲＡＴ離調を実行することをさらに備える、Ｃ１に記載の方法。
[Ｃ５]
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることとをさらに備える、Ｃ４に記載の方法。
[Ｃ６]
前記第２のＲＡＴ離調を実行するとき、周期的測定を停止させることをさらに備える、Ｃ４に記載の方法。
[Ｃ７]
少なくとも１つの第１のＲＡＴアプリケーションからの前記第２のＲＡＴ離調の通知を阻止することをさらに備える、Ｃ４に記載の方法。
[Ｃ８]
前記検出された第１のＲＡＴアクティビティとの重複を低減するために前記受信された第１のＲＡＴ中断要求に応答して前記第２のＲＡＴ離調をスケジュールすることをさらに備える、Ｃ１に記載の方法。
[Ｃ９]
最大無線リンクコントローラリセット量を検出することと、
前記最大無線リンクコントローラリセット量より前の第１のＲＡＴ中断要求を無視することとをさらに備える、Ｃ１に記載の方法。
[Ｃ１０]
第１のＲＡＴがロングタームエボリューション（ＬＴＥ）を備え、第２のＲＡＴがＣＤＭＡ２０００を備える、Ｃ１に記載の方法。
[Ｃ１１]
ユーザ機器（ＵＥ）におけるワイヤレス通信の方法であって、
圏外（ＯｏＳ）イベントに応答して第２の無線アクセス技術（ＲＡＴ）アクティビティとの間で第１の無線アクセス技術（ＲＡＴ）走査を適応的に実行することであって、受信チェーンが前記ＵＥの第１のＲＡＴモデムと第２のＲＡＴモデムとの間で共有される、適応的に実行することを備える、方法。
[Ｃ１２]
第１のＲＡＴ離調との干渉を低減するために第２のＲＡＴシステム収集を適応的に実行することをさらに備える、Ｃ１１に記載の方法。
[Ｃ１３]
第１のＲＡＴがＣＤＭＡ２０００を備え、第２のＲＡＴがロングタームエボリューション（ＬＴＥ）を備える、Ｃ１１に記載の方法。
[Ｃ１４]
メモリと、
前記メモリに結合された少なくとも１つのプロセッサとを備える、ユーザ機器（ＵＥ）内でのワイヤレス通信のために構成された装置であって、前記少なくとも１つのプロセッサが、
第２の無線アクセス技術（ＲＡＴ）離調についての受信された第１のＲＡＴ中断要求に応答して第１のＲＡＴアクティビティを検出することと、
前記検出された第１のＲＡＴアクティビティと第２のＲＡＴ離調アクティビティとの所定の優先度に従って前記第１のＲＡＴ中断要求を適応的に実行することであって、受信チェーンが前記ＵＥの第１のＲＡＴモデムと第２のＲＡＴモデムとの間で共有される、適応的に実行することとを行うように構成された、装置。
[Ｃ１５]
前記プロセッサは、前記第１のＲＡＴ中断要求が前記第２のＲＡＴ離調アクティビティとしてＵＥ発信アクティビティを示すとき、前記第２のＲＡＴ離調を遅延させるようにさらに構成された、Ｃ１４に記載の装置。
[Ｃ１６]
前記プロセッサが、前記第１のＲＡＴ中断要求を実行することより前に、ページングサイクル持続時間の増加を要求するようにさらに構成された、Ｃ１４に記載の装置。
[Ｃ１７]
前記プロセッサは、前記第１のＲＡＴ中断要求が前記第２のＲＡＴ離調アクティビティとしてＵＥ着信アクティビティを示すとき、前記第２のＲＡＴ離調を実行するようにさらに構成された、Ｃ１４に記載の装置。
[Ｃ１８]
前記プロセッサが、
前記第２のＲＡＴ離調を実行することに応答して、低減されたデータレートを検出することと、
所定のデータレートが検出されるまで、報告されたチャネル品質インジケータ（ＣＱＩ）報告を所定の量だけ増加させることとを行うようにさらに構成された、Ｃ１７に記載の装置。
[Ｃ１９]
前記プロセッサが、前記第２のＲＡＴ離調を実行するとき、周期的測定を停止させるようにさらに構成された、Ｃ１７に記載の装置。
[Ｃ２０]
前記プロセッサが、少なくとも１つの第１のＲＡＴアプリケーションからの前記第２のＲＡＴ離調の通知を阻止するようにさらに構成された、Ｃ１７に記載の装置。
[Ｃ２１]
前記プロセッサが、前記検出された第１のＲＡＴアクティビティとの重複を低減するために前記受信された第１のＲＡＴ中断要求に応答して前記第２のＲＡＴ離調をスケジュールするようにさらに構成された、Ｃ１４に記載の装置。
[Ｃ２２]
前記プロセッサが、
最大無線リンクコントローラリセット量を検出することと、
前記最大無線リンクコントローラリセット量より前の第１のＲＡＴ中断要求を無視することとを行うようにさらに構成された、Ｃ１４に記載の装置。
[Ｃ２３]
前記第１のＲＡＴがロングタームエボリューション（ＬＴＥ）を備え、前記第２のＲＡＴがＣＤＭＡ２０００を備える、Ｃ１４に記載の装置。
[Ｃ２４]
ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードは、
第２の無線アクセス技術（ＲＡＴ）離調についての受信された第１のＲＡＴ中断要求に応答して第１のＲＡＴアクティビティを検出するためのプログラムコードと、
前記検出された第１のＲＡＴアクティビティと第２のＲＡＴ離調アクティビティとの所定の優先度に従って前記第１のＲＡＴ中断要求を適応的に実行するためのプログラムコードであって、受信チェーンが前記ＵＥの第１のＲＡＴモデムと第２のＲＡＴモデムとの間で共有される、適応的に実行するためのプログラムコードとを備える、コンピュータプログラム製品。
[Ｃ２５]
ユーザ機器（ＵＥ）内でのワイヤレス通信のための装置であって、
第２の無線アクセス技術（ＲＡＴ）離調についての受信された第１のＲＡＴ中断要求に応答して第１のＲＡＴアクティビティを検出するための手段と、
前記検出された第１のＲＡＴアクティビティと第２のＲＡＴ離調アクティビティとの所定の優先度に従って前記第１のＲＡＴ中断要求を適応的に実行するための手段であって、受信チェーンが前記ＵＥの第１のＲＡＴモデムと第２のＲＡＴモデムとの間で共有される、適応的に実行するための手段とを備える、装置。
[Ｃ２６]
メモリと、
前記メモリに結合された少なくとも１つのプロセッサとを備える、ユーザ機器（ＵＥ）内でのワイヤレス通信のために構成された装置であって、前記少なくとも１つのプロセッサが、
圏外（ＯｏＳ）イベントに応答して第２の無線アクセス技術（ＲＡＴ）アクティビティとの間で第１の無線アクセス技術（ＲＡＴ）走査を適応的に実行することであって、受信チェーンが前記ＵＥの第１のＲＡＴモデムと第２のＲＡＴモデムとの間で共有される、適応的に実行することを行うように構成された、装置。
[Ｃ２７]
前記プロセッサが、第１のＲＡＴ離調との干渉を低減するために第２のＲＡＴシステム収集を適応的に実行するようにさらに構成された、Ｃ２６に記載の装置。
[Ｃ２８]
第１のＲＡＴがＣＤＭＡ２０００を備え、第２のＲＡＴがロングタームエボリューション（ＬＴＥ）を備える、Ｃ２６に記載の装置。
[Ｃ２９]
ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードは、
圏外（ＯｏＳ）イベントに応答して第２の無線アクセス技術（ＲＡＴ）アクティビティとの間で第１の無線アクセス技術（ＲＡＴ）走査を適応的に実行するためのプログラムコードであって、受信チェーンが前記ＵＥの第１のＲＡＴモデムと第２のＲＡＴモデムとの間で共有される、適応的に実行するためのプログラムコードを備える、コンピュータプログラム製品。
[Ｃ３０]
ユーザ機器（ＵＥ）内でのワイヤレス通信のための装置であって、
圏外（ＯｏＳ）イベントに応答して第２の無線アクセス技術（ＲＡＴ）アクティビティとの間で第１の無線アクセス技術（ＲＡＴ）走査を適応的に実行するための手段であって、受信チェーンが前記ＵＥの第１のＲＡＴモデムと第２のＲＡＴモデムとの間で共有される、適応的に実行するための手段を備える、装置。